(57)【要約】  調整可能な引込み式ロッド装置は、外管継手と、分割ロッドユニットと、位置決めユニットと、を含む。分割ロッドユニットは、第１の折り畳みロッドと、少なくとも一つの第２の折り畳みロッドと、を含み、第１及び第２の折り畳みロッドは、同じ外径を有し、位置決めユニットは、結合ロープと、位置決め構成要素と、ロック構成要素と、を含み、それらは、外管継手及び第１の折り畳みロッドを互いに対して引くために使用される。結合ロープは、引っ張ることができ、ロック構成要素及び位置決めユニットは、インターロック又は分離できる。ロック構成要素及び位置決め構成要素がインターロックされると、外管継手は、展開された状態で分割ロッドユニットに連結できる。ロック構成要素が位置決め構成要素から離れると、分割ロッドユニットの第１及び第２の折り畳みロッドは、折り畳まれ、外管継手に対して平行となる。
2021507776.tif 000002
【特許請求の範囲】
【請求項１】
調整可能な引込み式ロッド装置であって、好ましくは、折り畳み式のポールの形式であり、最上位の外管継手（１０）にポールハンドル（３０）が設けられ、最下位の管セクション（２２）の末端に先端部（３１）が設けられた、少なくとも３つの管セクション（１０、２１、２２）を備え、前記調整可能な引込み式ロッド装置は、
中空であり、軸（Ｌ）に沿って延びるとともに、前記軸（Ｌ）に沿って配置された内穴（１１）を含む外管継手（１０）と、
第１の折り畳みロッド（２１）及び少なくとも一つの第２の折り畳みロッド（２２）を含む分割ロッドユニット（２０）と、
を含み、
前記第１及び第２の折り畳みロッドは、同じ外径を有し、展開された状態では、前記軸（Ｌ）に沿って互いに連結できるとともに、折り畳んだ又は折り畳み可能状態となり、また、前記外管継手（１０）に対して平行になるように、互いに分離でき、前記第１及び第２の折り畳みロッドが展開された状態にあるとき、前記第１の折り畳みロッド（２１）は、前記外管継手（１０）の前記内穴（１１）の中に内挿され、
前記調整可能な引込み式ロッド装置は、
位置決めユニット（４０）と、
前記外管継手（１０）及び前記分割ロッドユニット（２０）を通り抜ける結合ロープ（４１）と、
を含み、
前記結合ロープ（４１）は、前記外管継手（１０）に固定される第１の端部（４１１）と、前記第１の端部（４１１）と反対側にある第２の端部（４１２）と、を含み、前記結合ロープ（４１）の前記第２の端部（４１２）は、前記外管継手（１０）から最も離れた前記第２の折り畳みロッド（２２）に連結され、
前記結合ロープ（４１）は、位置決め構成要素（４２）を通って滑動でき、
前記位置決めユニット（４０）は、
前記第１の折り畳みロッド（２１）に配置されて取り付けられる位置決め構成要素（４２）と、
前記結合ロープ（４１）に直接に及び／又は間接に結合されて前記第１の折り畳みロッド（２１）内に位置するロック構成要素（４４）と、を含み、
前記展開された状態では、前記位置決め構成要素（４２）及び前記ロック構成要素（４４）は、前記結合ロープ（４１）が前記分割ロッドユニット（２０）の中で張力下にあるように、確実な形態適合の係合状態にあり、
前記装置を折り畳んだ状態に導くために、前記外管継手（１０）は、前記分割ロッドユニット（２２）から軸方向に離れるように引かれて、それによって、前記ロック構成要素（４４）を少なくとも部分的に引っ張り、前記確実な形態適合の係合を解放する、調整可能な引込み式ロッド装置。
【請求項２】
前記ロック構成要素（４４）は、前記位置決め構成要素（４２）のリング内面（４２２）の内部で少なくとも部分的に摺動するように実装され、
前記リング内面（４２２）は、少なくとも一つの、好ましくは、２つ以上の、半径方向内方に突出する、好ましくは、均等に周方向に分配された、位置決め突起（４２３）又は位置決め凹部を含み、
前記ロック構成要素（４４）は、少なくとも一つの、好ましくは、２つ以上の、対応する半径方向外方に突出する、好ましくは、均等に周方向に分配された、ロック突起（４３３）又はロック凹部を含み、
確実な形態適合の係合は、前記突出する位置決め突起（４２３）及び前記突出するロック突起（４３３）並びに／或いは対応する凹部の係合を介して達成される、請求項１に記載の装置。
【請求項３】
更に設けられる案内構成要素（４３）は、前記位置決め構成要素（４２）のリング内面（４２２）の内部で少なくとも部分的に摺動するように実装され、また、好ましくは、前記ロック構成要素（４４）の少なくとも一部を少なくとも部分的に取り囲むように構成され、
前記案内構成要素（４３）は、前記結合ロープ（４１）に直接に及び／又は間接に結合され、前記外管継手（１０）が前記分割ロッドユニット（２２）から軸方向に離れるように引かれるときに、前記ロック構成要素（４４）を引くための、また、前記位置決め構成要素（４２）に対する前記ロック構成要素（４４）の回転位置を制御するための、案内構造要素（４３４）を含む、請求項１又は２に記載の装置。
【請求項４】
前記位置決め構成要素（４２）と前記ロック構成要素（４４）との間の確実な形態適合の係合が存在するか否かは、これらの２つの構成要素の相対回転位置に依存し、前記ロック構成要素（４４）は、前記第１の折り畳みロッド（２２）に回転可能に実装される、請求項１から３のいずれか一項に記載の装置。
【請求項５】
前記ロック構成要素（４４）は、前記第１の折り畳みロッド（２１）に移動可能な様式で配置され、
前記結合ロープ（４１）は、前記外管継手（１０）に固定される第１の端部（４１１）と、前記第１の端部（４１１）とは反対側の第２の端部（４１２）と、を含み、前記第２の端部（４１２）は、前記外管継手（１０）から最も離れた前記第２の折り畳みロッド（２２）に連結され、前記結合ロープ（４１）は、前記位置決め構成要素（４２）を通って滑動可能であるとともに、前記ロック構成要素（４４）に連結され、
前記第１の折り畳みロッド（２１）及び第２の折り畳みロッド（２２）の折り畳みロッドが展開された状態であるとき、前記ロック構成要素（４４）は、前記位置決め構成要素（４２）に連結され、前記ロック構成要素（４４）は、前記分割ロッドユニット（２０）を位置決めし、
前記折り畳みロッドが折り畳み可能状態にあるとき、前記ロック構成要素（４４）は、好ましくは前記位置決め構成要素（４２）から軸方向に離される、請求項１から４のいずれか一項に記載の装置。
【請求項６】
前記外管継手（１０）が前記第１の折り畳みロッド（２１）に対して反対方向に外方に引かれると、前記結合ロープ（４１）は、引かれ、前記ロック構成要素（４４）は、確実な形態適合の係合の観点において、前記位置決め構成要素（４２）から分離及び／又は係合解除され、前記第１及び第２の折り畳みロッドは、前記展開された状態から折り畳み可能状態に変化可能となる、請求項１から５のいずれか一項に記載の調整可能な引込み式ロッド装置。
【請求項７】
前記位置決めユニット（４０）はまた、前記第１の折り畳みロッド（２１）に移動可能な様式で設けられる案内構成要素（４３）と、前記位置決め構成要素（４２）の上部に配置される管ストッパ（４５）と、弾性構成要素（４６）と、を含み、
前記案内構成要素（４３）は、前記ロック構成要素（４４）が前記位置決め構成要素（４２）に対して軸方向に移動するように、前記ロック構成要素（４４）を押圧でき、
前記弾性構成要素（４６）は、前記管ストッパ（４５）と前記ロック構成要素（４４）との間に配置されて前記ロック構成要素（４４）に弾性力を与え、
前記結合ロープ（４１）は、前記案内構成要素（４３）に直接に又は間接に連結され、前記ロック構成要素（４４）が前記位置決め構成要素（４２）に対してロック及び連結されるようにさせ、また、前記ロック構成要素（４４）が前記位置決め構成要素（４２）から解放及び／又は離れさせる、請求項１から６のいずれか一項に記載の調整可能な引込み式ロッド装置。
【請求項８】
前記位置決めユニット（４０）の前記位置決め構成要素（４２）は、中空であり、また、前記軸（Ｌ）を取り囲んで前記結合ロープ（４１）が通り抜けるための管穴を形成するリング内面（４２２）と、前記軸（Ｌ）を取り囲んで前記軸（Ｌ）に向けて前記リング内面（４２２）からオフセットする複数の位置決め歯（４２３）と、複数のシュート（４２４）と、を含み、
一つのシュート（４２４）は、２つの位置決め歯（４２３）間に配置され、前記位置決め歯（４２３）の各々は、前記軸を取り囲む斜めの歯冠部（４２５）と、前記歯冠部（４２５）と隣接シュート（４２４）との間に配置されて前記軸（Ｌ）を取り囲む斜めの摺動案内部（４２６）と、前記歯冠部（４２５）と前記摺動案内部（４２６）との間に配置されて前記軸（Ｌ）に平行な停止部（４２７）と、前記シュート（４２４）に平行であって前記歯冠部（４２５）に連結され得るか又は前記歯冠部に導くことが可能な案内スロット（４２８）と、を含み、
好ましくは、前記歯冠部（４２５）及び前記摺動案内部（４２６）は、同じ方向に傾く、請求項１から７のいずれか一項に記載の調整可能な引込み式ロッド装置。
【請求項９】
前記位置決めユニットは、前記軸（Ｌ）に沿って前記管穴を通って滑動できるとともに、直線管部（４３１）と、前記軸（Ｌ）を取り囲んで前記直線管部（４３１）の上部に配置される複数のドラッグ部（４３２）と、前記直線管部（４３１）に配置されて前記案内スロット（４２８）に沿って摺動できる複数の案内ブロック（４３３）と、を含む案内構成要素（４３）を備え、
前記ドラッグ部（４３２）は、Ｖ形状であり、
前記ドラッグ部（４３２）の各々は、一対のＶ形状のドラッグ面（４３４）を含む、請求項１から８のいずれか一項に記載の調整可能な引込み式ロッド装置。
【請求項１０】
前記ロック構成要素（４４）は、中空の管壁（４４１）と、前記軸（Ｌ）を取り囲んで前記管壁（４４１）に配置される複数のロッククリップ（４４２）と、を含み、
前記管壁（４４１）は、前記結合ロープ（４１）が通り抜けるために設けられる貫通穴（４４３）を画定でき、
下部における前記ロッククリップ（４４２）の各々は、前記位置決め構成要素（４２）の前記歯冠部（４２５）及び前記摺動案内部（４２６）に対応する斜面（４４４）を含み、
並びに／或いは、前記外管継手（１０）が前記第１の折り畳みロッド（２１）に対して反対方向に外方に引かれると、前記結合ロープ（４１）は、前記案内構成要素（４３）を駆動して前記軸（Ｌ）に沿って動かし、前記案内構成要素（４３）は、次いで前記ロック構成要素（４４）を押圧して、前記位置決め構成要素（４２）に対してそれを上方に移動させ、前記ロッククリップ（４４２）の下部における前記斜面（４４４）は、前記歯冠部（４２５）から離れ、前記ロッククリップ（４４２）の下部における前記斜面（４４４）は、前記ドラッグ面（４３４）の案内の下で前記軸（Ｌ）まわりに回転し、
前記結合ロープ（４１）の張力が動作中に解放されると、前記ロッククリップ（４４２）は、前記案内部（４２９）の案内の下で前記シュート（４２４）の中に摺動し、前記案内構成要素（４３）は、下方に移動し、また、前記弾性構成要素（４６）によって解放される弾性力を特に用いることによって、前記ロック構成要素（４４）及び／又は前記位置決め構成要素（４２）から軸方向に分離され、前記第１及び第２の折り畳みロッドは、折り畳まれた状態で、前記外管継手（１０）に対して平行になるように、折り畳むことが可能とされた、請求項１から９のいずれか一項に記載の調整可能な引込み式ロッド装置。
【請求項１１】
前記位置決めユニット（４２）の前記位置決め歯（４２３）の各々はまた、前記歯冠部（４２５）とは反対に配置されてＶ形状である案内部（４２９）を含み、前記ロッククリップ（４４２）は、前記案内部（４２９）の影響下で前記シュート（４２４）の下部から上部に円滑に入る及び／又は摺動することが可能とされた、請求項１から１０のいずれか一項に記載の調整可能な引込み式ロッド装置。
【請求項１２】
前記結合ロープ（４１）はまた、前記第１の端部（４１１）と前記第２の端部（４１２）との間に配置されて、離されている上側ノット（４１３）及び下側ノット（４１３’）と、前記上側ノット（４１３）をロックして位置決めできる上側位置決めブロック（４１４）と、前記下側ノット（４１３’）をロックして位置決めできる下側位置決めブロック（４１５）と、を含み、
前記上側位置決めブロック（４１４）は、前記管壁（４４１）に配置され、前記下側位置決めブロック（４１５）は、前記直線管部（４３１）の下部に配置される、請求項１から１１のいずれか一項に記載の調整可能な引込み式ロッド装置。
【請求項１３】
前記外管継手（１０）及び前記第１の折り畳みロッド（２１）が連結されるところに配置されるクイックリリース機構を更に含み、
前記クイックリリース機構は、前記第１の折り畳みロッドが格納した後に、前記第１の折り畳みロッドが前記外管継手（１０）をロックして位置決めするように動作可能とされた、請求項１から１２のいずれか一項に記載の調整可能な引込み式ロッド装置。
【請求項１４】
前記分割ロッドユニット（２０）内部の、即ち、前記第１及び第２の折り畳みロッド間で、及び幾つかの第２の折り畳みロッド（２２）の場合はそれらの間で、プラグイン連結は、一つの管セクションに、前記結合ロープ（４１）のため軸方向に走る中央貫通開口を具備するガイドピンを有するように構成され、ガイドピンは、この管セクションにおいて締結セクションとしっかり締結されるとともに、軸方向のそれとは反対側に、他方の管セクションの中に摺動可能なピン領域を有し、
締結セクション及びピン領域間には、好ましくは放射状に周方向外方に方向付けされた連結フランジが設けられ、連結フランジは、組み立てられた状態では、前記他方の管セクションの前記管端部及び／又はそれに設けられる管クロージャスリーブとの軸方向連結をもたらし、
好ましくはこの軸方向ストッパは、前記ポール軸に関して非対称的に構成され、
及び／又は、更に好ましくは前記ピン領域は、少なくとも部分的に円錐形の先細の領域を、前記他方の管セクションに面するそれの端部に有し、
及び／又は、前記クイックリリース機構（５０）は、外管継手（１０）を少なくとも軸方向セクションにおいて実質上直接に包囲して、閉じた状態でクランプするプラスチックスリーブを含む外部クランプデバイスの形式をとり、
少なくとも前記外管継手（１０）を包囲する領域における前記プラスチックスリーブは、前記プラスチックスリーブの周囲をこの領域で可変にする少なくとも一つのスロットを有するとともに、残りの軸方向領域の実質上円周となるように構成され、
それぞれ一つの突起は、このスロットの両側の前記プラスチックスリーブに配設され、
これらの突起は、前記外管継手（１０）の前記軸に実質上垂直に配設された同軸の貫通開口を有し、それを介して横断ピンが把持し、そのピンは、第２の突起の外側にストッパを有し、また、第１の突起の外側に、前記横断ピンの前記軸に垂直に及び前記外管継手（１０）の前記軸（Ｌ）に平行に配設されるクランプレバーのための回転軸を有し、
前記クランプレバーは、前記クランプデバイスが閉じているときに前記プラスチックスリーブを少なくとも部分的に包囲するレバーアームを有し、
前記クランプレバーは、前記回転軸に関して偏心ローリング領域を有し、その手段によって、前記ストッパと前記第１の突起の外側に配設されるクランプ用嵌合面との間の距離は、前記クランプレバーを閉じた位置に旋回させることによって、低減でき、
好ましくは前記嵌合面は、凹部において前記第１の突起に少なくとも部分的に配設される金属要素の形式で構成され、
更に好ましくは前記嵌合面は、平らな表面として又は凹状面として構成され、その曲率半径は、前記ローリング領域の曲率半径に実質上適合し、
更に好ましくは前記プラスチックスリーブは、それの上側セクションに、少なくとも２つの、好ましくは、少なくとも３つの軸方向に走るスロットを有し、
これらのスロットのうちの少なくとも一つは、前記２つの突起間に配設され、好ましくはこれらのスロットは、前記円周のまわりに均等に分配され、
及び／又は、更に好ましくは前記ストッパは、調整可能であるように構成され、
好ましくは前記ストッパは、スレッドを備えて構成され、前記横断ピンは、カウンタスレッドを備えて構成され、前記ストッパは、ナット又はねじとして、好ましくは調整ツールの係合用の周方向の歯付き構造及び／又はコム及び／又は溝を備えて構成される、請求項１から１３のいずれか一項に記載の調整可能な引込み式ロッド装置。
【請求項１５】
少なくとも４つの管セクションと、前記外管継手（１０）と、第１の折り畳みロッド（２１）と、２つの第２の折り畳みロッド（２２）と、を含む、請求項１から１４のいずれか一項に記載の調整可能な引込み式ロッド装置。
【発明の詳細な説明】
【技術分野】
【０００１】
本発明は、引込み式ロッドに関し、特に、歩行用ポール、トレッキングポール、アルペンスキーポール、クロスカントリースキーポール、及びノルディックウォーキングポールとして使用される、特に、調整可能な引込み式ロッド装置に関する。
【背景技術】
【０００２】
図１及び図２に示されるように、折り畳み可能な複数セクションの引込み式ロッドは、中空の上側チューブ１と、上側チューブ１に挿入される摺動可能な第１の下側チューブ２と、複数の直列に連結される第２の下側チューブ３と、結合ロープ４と、ロックピンユニット５と、を含む。上側チューブ１は、ハンドル６でカバーされ、穴２０１が、第１の下側チューブ２の上部に近い場所に配置される。
【０００３】
結合ロープ４は、上側チューブ１と、第１の下側チューブ２と、第２の下側チューブ３と、を通過し、上側チューブ１の上部に固定される第１の端部４０１と、第１の端部４０１とは反対側で、上側チューブ１の第２の下側チューブ３から最も離れた場所に固定される第２の端部４０２と、を有する。ロックピンユニット５は、第１の下側チューブ２の上部に固定されるロケータ５０１と、ロケータ５０１に連結されるクリップ５０２と、クリップ５０２の端部に固定されるロックピン５０３と、を含む。
【０００４】
上側チューブ１、第１の下側チューブ２、及び、第２の下側チューブ３が展開された状態（図１の状態で示されるように）で互いに連結されると、結合ロープ４は、真っ直ぐな状態となり、高い張力を有する。ロックピンユニット５のロックピン５０３は、穴２０１に内挿され、引込み式ロッドが使用状態で最大長さに達することを可能にする。
【０００５】
使用者がロックピン５０３を押すと、結合ロープ４の張力が解除され、ロックピン５０３が穴２０１から離される。このとき、操作者は、第１の下側チューブ２を上側チューブ１の内側に向けて引っ込めることができる。結合ロープ４が既に緩んでいるので、第２の下側チューブ３は、第１の下側チューブ２から分離できる。そのような第２の下側チューブ３は、同じく互いから分離できる。第１の下側チューブ２は、上側チューブ１の内側に向けて引っ込めることができ、第２の下側チューブ３は、上側チューブ１（図面には示されない）に対して平行にできる。
【０００６】
第１の下側チューブ２が上側チューブ１に対して引き出されると、第２の下側チューブ３及び第１の下側チューブ２は、ロックピンユニット５のロックピン５０３が穴２０１の中に内挿されるまで、真っ直ぐなロッドになるように直列に連結でき、引込み式ロッドが最大長さを有するときの使用状態に復帰する。
【０００７】
引込み式ロッドは、展開すること又は折り畳むことができるが、操作者は、ロックピン５０３を指で押して、ロッドが展開される又は折り畳まれるときに、結合ロープ４の張力が解除されるようにしなければならないので、ロックピン５０３が穴２０１から離されると、上側チューブ１と第１の下側チューブ２との接合部によって、指を怪我することがある。
【発明の概要】
【発明が解決しようとする課題】
【０００８】
したがって、本発明の目的は、折り畳み又は展開することが容易且つ安全であり、歩行用ポール、トレッキングポール、アルペンスキーポール、クロスカントリースキーポール、及びノルディックウォーキングポールとして使用することのできる調整可能な引込み式ロッド装置を提供することである。
【課題を解決するための手段】
【０００９】
本発明において提供される調整可能な引込み式ロッド装置は、外管継手と、分割ロッドユニットと、位置決めユニットと、を含む。外管継手は、中空であり、軸に沿って延びている。それは、軸に沿って設けられた内穴を含む。分割ロッドユニットは、第１の折り畳みロッドと、少なくとも一つの第２の折り畳みロッドとを含み、第１及び第２の折り畳みロッドは、同じ外径を有し、展開された状態では、軸に沿って互いに連結できるとともに、折り畳み可能状態となり、外管継手に対して平行となるように、互いに分離することができる。第１及び第２の折り畳みロッドが展開された状態にあるとき、第１の折り畳みロッドは、外管継手の内穴内に内挿される。位置決めユニットは、外管継手及び分割ロッドユニットを通り抜ける結合ロープと、第１の折り畳みロッドに配置される位置決め構成要素と、第１の折り畳みロッドに移動可能に配置されるロック構成要素とを含む。結合ロープは、外管継手に固定される第１の端部と、第１の端部とは反対側の第２の端部とを含む。第２の端部は、外管継手から最も離れた第２の折り畳みロッドに連結され、結合ロープは、位置決め構成要素を通って滑動でき、また、ロック構成要素に連結される。第１及び第２の折り畳みロッドが展開された状態にあるとき、ロック構成要素は、位置決め構成要素に連結されている。ロック構成要素は、分割ロッドユニットを位置決めする。折り畳みロッドが折り畳み可能状態にあるとき、ロック構成要素は、位置決めユニットから分離されている。
【００１０】
本発明の効果は、次の通りである：外管継手と、分割ロッドユニットと、位置決めユニットと、から構成される構造全体を使用することによって、展開された状態と折り畳まれた状態との間で切り替える操作に際し、外管継手と第１の折り畳みロッドとを反対方向外側に引っ張るだけでよい。この操作は簡便であり、指の怪我のリスクを回避する。加えて、第１及び第２の折り畳みロッドが同じ外径であるため、第１の折り畳みロッドが、外管継手の内穴に配置できるので、引込み式ロッドの主ロッド構成要素は、２つの外径で作製できる。その結果、構成要素は、単純化される。
【００１１】
より具体的には、本発明が提案する調整可能な引込み式ロッド装置は、
中空であり、軸に沿って延びるとともに、軸に沿って配置された内穴を含む外管継手と、
第１の折り畳みロッド及び少なくとも一つの第２の折り畳みロッドを含む分割ロッドユニットであって、第１及び第２の折り畳みロッドは、同じ外径を有し、展開された状態では、軸に沿って互いに連結できるとともに、折り畳み可能状態で外管継手に対して平行になるように、互いに分離でき、第１及び第２の折り畳みロッドが展開された状態にあるとき、第１の折り畳みロッドは、外管継手の内穴の中に内挿される、分割ユニットと、
外管継手及び分割ロッドユニットを通り抜ける結合ロープと、第１の折り畳みロッドに配置される位置決め構成要素と、第１の折り畳みロッドに移動可能な様式で配置されるロック構成要素と、を含む位置決めユニットであって、結合ロープは、外管継手に固定される第１の端部と、第１の端部とは反対側の第２の端部と、を含み、第２の端部は、外管継手から最も離れた第２の折り畳みロッドに連結され、結合ロープは、位置決め構成要素を通って滑動でき、また、ロック構成要素に連結され、第１及び第２の折り畳みロッドが展開された状態にあるとき、ロック構成要素は、位置決め構成要素に連結され、ロック構成要素は、分割ロッドユニットを位置決めし、折り畳みロッドが折り畳み可能状態にあるとき、ロック構成要素は、位置決めユニットから分離される、位置決めユニットと、を含む。
【００１２】
第１の好適な実施形態によれば、外管継手が第１の折り畳みロッドに対して反対方向に外方に引かれると、結合ロープは、引かれ、ロック構成要素は、位置決め構成要素から分離され、第１及び第２の折り畳みロッドは、展開された状態から折り畳み可能状態に変化することが可能となる。
【００１３】
更に別の好適な実施形態によれば、位置決めユニットはまた、第１の折り畳みロッドに移動可能な様式で配置される案内構成要素と、位置決め構成要素の上部に配置される管ストッパと、弾性構成要素と、を含み、案内構成要素は、ロック構成要素が位置決め構成要素に対して移動するように、ロック構成要素を押圧でき、弾性構成要素は、管ストッパとロック構成要素との間に配置されてロック構成要素に弾性力を与え、結合ロープは、案内構成要素に連結でき、ロック構成要素が位置決め構成要素に対してロック及び連結されるようにさせ、また、ロック構成要素が位置決め構成要素から離れるようにさせる。
【００１４】
別の好適な実施形態は以下を特徴とする。位置決めユニットの位置決め構成要素が中空であって、軸を取り囲んで結合ロープが通り抜けるための管穴を形成できるリング内面と、軸を取り囲んで軸Ｌに向けてリング内面によって配置される複数の位置決め歯と、複数のシュートと、を含み、一つのシュートは、２つの位置決め歯間に配置され、位置決め歯の各々は、軸を取り囲む斜めの歯冠部と、歯冠部と隣接シュートとの間に配置されて軸を取り囲む斜めの摺動案内部と、歯冠部と摺動案内部との間に配置されて軸に平行な停止部と、シュートに平行であって歯冠部に連結できる案内スロットと、を含み、歯冠部及び摺動案内部は、同じ方向に傾き、案内構成要素は、軸に沿って管穴を通って滑動でき、また、直線管部と、軸を取り囲んで直線管部の上部に配置される複数のドラッグ部と、直線管部に配置されて案内スロットに沿って摺動できる複数の案内ブロックと、を含み、ドラッグ部は、Ｖ形状であり、ドラッグ部の各々は、一対のＶ形状のドラッグ面を含み、ロック構成要素は、中空の管壁と、軸を取り囲んで管壁に配置される複数のロッククリップと、を含み、管壁は、結合ロープが通り抜けるために配置される貫通穴を画定でき、下部におけるロッククリップの各々は、歯冠部及び摺動案内部に対応する斜面を含み、外管継手が第１の折り畳みロッドに対して反対方向に外方に引かれると、結合ロープは、案内構成要素を駆動して軸に沿って動かし、案内構成要素は、次いでロック構成要素を押圧して、位置決め構成要素に対してそれを上方に移動させ、ロッククリップの下部における斜面は、歯冠部から離れ、ロッククリップの下部における斜面は、ドラッグ面の案内の下で軸まわりに回転し、結合ロープの張力が動作中に解放されると、ロッククリップは、案内部の案内の下でシュートの中に円滑に入り、案内構成要素は、下方に移動し、また、弾性構成要素によって解放される弾性力を用いることによって、ロック構成要素から分離され、第１及び第２の折り畳みロッドは、折り畳まれた状態で、外管継手に対して平行になるように、折り畳むことができる。
【００１５】
別の好適な実施形態は以下を特徴とする。位置決めユニットの位置決め歯の各々はまた、歯冠部とは反対方向に配置されるＶ形状である案内部を含み、ロッククリップは、案内部の影響下でシュートの下部から上部に円滑に入る。
【００１６】
結合ロープはまた、第１の端部と第２の端部との間に配置され、離されている上側ノット及び下側ノットと、上側ノットをロックして位置決めできる上側位置決めブロックと、下側ノットをロックして位置決めできる下側位置決めブロックと、を有することができ、上側位置決めブロックは、管壁上に配置され、下側位置決めブロックは、直線管部の下部に配置される。
【００１７】
さらに、本発明は、調整可能な引込み式ロッド装置に関し、外管継手及び第１の折り畳みロッドが連結されるところに配置されるクイックリリース機構を更に備え、クイックリリース機構は、第１の折り畳みロッドが格納した後に、第１の折り畳みロッドが外管継手をロックして位置決めするように動作できる。
【００１８】
より一般的に言えば、本発明は、調整可能な引込み式ロッド装置に関し、好ましくは、折り畳み式のポールの形式であり、最上位の外管継手にポールハンドルが設けられ、最下位の管セクションの末端に先端部とが設けられた、少なくとも３つの管セクションを備え、前記調整可能な引込み式ロッド装置は、
中空であり、軸に沿って延びるとともに、軸に沿って配置された内穴を含む外管継手と、
第１の折り畳みロッド及び少なくとも一つの第２の折り畳みロッドを含む分割ロッドユニットを含み、
第１及び第２の折り畳みロッドは、同じ外径を有し、展開された状態では、軸に沿って互いに連結できるとともに、折り畳んだ又は折り畳み可能状態となり、また、外管継手に対して平行になるように、互いに分離でき、第１及び第２の折り畳みロッドが展開された状態にあるとき、第１の折り畳みロッドは、外管継手の内穴の中に内挿され、
調整可能な引込み式ロッド装置は、
位置決めユニットと、
外管継手及び分割ロッドユニットを通り抜ける結合ロープと、
を含み、
結合ロープは、外管継手に固定される第１の端部と、第１の端部と反対側にある第２の端部と、を含み、結合ロープの第２の端部は、外管継手から最も離れた第２の折り畳みロッドに連結され、
結合ロープは、位置決め構成要素を通って滑動でき、
位置決めユニットは、
第１の折り畳みロッドに配置されて取り付けられる位置決め構成要素と、
結合ロープに直接に及び／又は間接に連結されて第１の折り畳みロッド内に位置するロック構成要素と、を含み、
展開された状態では、位置決め構成要素及びロック構成要素は、結合ロープが分割ロッドユニットの中で張力下にあるように、確実な形態適合の係合状態にあり、
装置を折り畳んだ状態に導くために、外管継手は、分割ロッドユニットから軸方向に離れるように引かれて、それによって、上記ロック構成要素を少なくとも部分的に引っ張り、上記確実な形態適合の係合を解放する。
【００１９】
上記ロック構成要素は、上記位置決め構成要素のリング内面の内部で少なくとも部分的に摺動するように実装でき、上記リング内面は、少なくとも一つの、好ましくは、２つ以上の、半径方向内方に突出する、好ましくは、均等に周方向に分配された、位置決め突起又は位置決め凹部を含み、ロック構成要素は、少なくとも一つの、好ましくは、２つ以上の、対応する半径方向外方に突出する、好ましくは、均等に周方向に分配された、ロック突起又はロック凹部を含み、確実な形態適合の係合は、突出する位置決め突起及び突出するロック突起並びに／或いは対応する凹部の係合を介して達成される。
【００２０】
更に設けることのできる案内構成要素は、上記位置決め構成要素のリング内面の内部で少なくとも部分的に摺動するように実装され、また、好ましくは、ロック構成要素の少なくとも一部を少なくとも部分的に取り囲むように構成され、上記案内構成要素は、結合ロープに直接に及び／又は間接に結合され、外管継手が分割ロッドユニットから軸方向に離れるように引かれるときに、ロック構成要素を引くための、また、位置決め構成要素に対するロック構成要素の回転位置を制御するための、案内構造要素を含む。
【００２１】
位置決め構成要素とロック構成要素との間の確実な形態適合の係合が存在するか否かは、好ましくは、これらの２つの構成要素の相対回転位置に依存し、ロック構成要素は、第１の折り畳みロッドに回転可能に実装される。
【００２２】
分割ロッドユニットの内部の、即ち、第１及び第２の折り畳みロッド間で、及び幾つかの第２の折り畳みロッドの場合はそれらの間で、プラグイン連結は、一つの管セクションに、結合ロープのため軸方向に走る中央貫通開口を具備するガイドピンを有するように構成でき、ガイドピンは、この管セクションにおいて締結セクションとしっかり締結されるとともに、軸方向のそれとは反対側に、他方の管セクションの中に摺動可能なピン領域を有し、締結セクションとピン領域との間には、好ましくは放射状に周方向外方に方向付けされた連結フランジが設けられ、連結フランジは、組み立てられた状態では、他方の管セクションの管端部及び／又はそれに設けられる管クロージャスリーブとの軸方向連結をもたらし、好ましくはこの軸方向ストッパは、ポール軸に関して非対称的に構成され、及び／又は、更に好ましくはピン領域は、少なくとも部分的に円錐形の先細の領域を、他方の管セクションに面するそれの端部に、有する。
【００２３】
クイックリリース機構は、外管継手を少なくとも軸方向セクションにおいて実質上直接に包囲して、閉じた状態でクランプするプラスチックスリーブを含む外部クランプデバイスの形式をとることができ、少なくとも外管継手を包囲する領域におけるプラスチックスリーブは、プラスチックスリーブの周囲をこの領域で可変にする少なくとも一つのスロットを有するとともに、残りの軸方向領域の実質上円周となるように構成され、それぞれ一つの突起は、このスロットの両側のプラスチックスリーブに配設され、これらの突起は、外管継手の軸に実質上垂直に配設された同軸の貫通開口を有し、それを介して横断ピンが把持し、そのピンは、第２の突起の外側にストッパを有し、また、第１の突起の外側に、横断ピンの軸に垂直に及び外管継手の軸（Ｌ）に平行に配設されるクランプレバーのための回転軸を有し、クランプレバーは、クランプデバイスが閉じているときにプラスチックスリーブを少なくとも部分的に包囲するレバーアームを有し、クランプレバーは、回転軸に関して偏心ローリング領域を有し、その手段によって、ストッパと第１の突起の外側に配設されるクランプ用嵌合面との間の距離は、クランプレバーを閉じた位置に旋回させることによって、低減でき、好ましくは嵌合面は、凹部において第１の突起に少なくとも部分的に配設される金属要素の形式で構成され、更に好ましくは嵌合面は、平らな表面として又は凹状面として構成され、その曲率半径は、ローリング領域の曲率半径に実質上適合し、更に好ましくはプラスチックスリーブは、それの上側セクションに、少なくとも２つの、好ましくは、少なくとも３つの軸方向に走るスロットを有し、これらのスロットのうちの少なくとも一つは、２つの突起間に配設され、好ましくはこれらのスロットは、円周のまわりに均等に分配され、及び／又は、更に好ましくは上記ストッパは、調整可能であるように構成され、好ましくはストッパは、スレッドを備えて構成され、横断ピンは、カウンタスレッドを備えて構成され、ストッパは、ナット又はねじとして、好ましくは調整ツールの係合用の周方向の歯付き構造及び／又はコム及び／又は溝を備えて構成される。
【００２４】
調整可能な引込み式ロッド装置は、少なくとも４つの管セクションと、外管継手と、第１の折り畳みロッドと、２つの第２の折り畳みロッドと、を含むことができる。
【００２５】
代替的に並べると、本発明は、調整可能な引込み式ロッド装置であって、
・  中空であり、軸に沿って延びるとともに、軸に沿って配置された内穴を含む外管継手と、
・  第１の折り畳みロッド及び少なくとも一つの第２の折り畳みロッドを含む分割ロッドユニットであって、第１及び第２の折り畳みロッドは、同じ外径を有し、展開された状態では、軸に沿って互いに連結できるとともに、折り畳み可能状態となり、また、外管継手に対して平行になるように、互いに分離でき、第１及び第２の折り畳みロッドが展開された状態にあるとき、第１の折り畳みロッドは、外管継手の内穴の中に内挿される、分割ロッドユニットと、
・  外管継手及び分割ロッドユニットを通り抜ける結合ロープと、第１の折り畳みロッドに配置される位置決め構成要素と、第１の折り畳みロッドに移動可能な様式で配置されるロック構成要素とを含む位置決めユニットであって、結合ロープは、外管継手に固定される第１の端部と、第１の端部と反対側にある第２の端部と、を含み、第２の端部は、外管継手から最も離れた第２の折り畳みロッドに連結され、結合ロープは、位置決め構成要素を通って滑動できるとともに、ロック構成要素に連結され、第１及び第２の折り畳みロッドが展開された状態にあるとき、ロック構成要素は、位置決め構成要素に連結され、ロック構成要素は、分割ロッドユニットを位置決めし、折り畳みロッドが折り畳み可能状態にあるとき、ロック構成要素は、位置決めユニットから分離される、位置決めユニットと、を含む。
【００２６】
好適な実施形態によれば、上で与えられた調整可能な引込み式ロッド装置が特徴とするのは、外管継手が第１の折り畳みロッドに対して反対方向に外方に引かれると、結合ロープは、引かれ、ロック構成要素は、位置決め構成要素から分離することができ、第１及び第２の折り畳みロッドは、展開された状態から折り畳み可能状態に変化可能となる、ということである。
【００２７】
更に別の好適な実施形態によれば、上で与えられた調整可能な引込み式ロッド装置は以下を特徴とする。位置決めユニットはまた、第１の折り畳みロッドに移動可能な様式で配置できる案内構成要素と、位置決め構成要素の上部に配置される管ストッパと、弾性構成要素と、を含み、案内構成要素は、ロック構成要素が位置決め構成要素に対して移動するように、ロック構成要素を押圧でき、弾性構成要素は、管ストッパとロック構成要素との間に配置されてロック構成要素に弾性力を与え、結合ロープは、案内構成要素に連結でき、ロック構成要素が位置決め構成要素に対してロック及び連結されるようにさせ、また、ロック構成要素が位置決め構成要素から離れさせる。
【００２８】
別の好適な実施形態によれば、上で与えられた調整可能な引込み式ロッド装置は以下を特徴とする。位置決めユニットの位置決め構成要素は、中空であり、また、軸を取り囲んで結合ロープが通り抜けるための管穴を形成できるリング内面と、軸を取り囲んで軸Ｌに向けてリング内面によって配置される複数の位置決め歯と、複数のシュートと、を含み、一つのシュートは、２つの位置決め歯間に配置され、位置決め歯の各々は、軸を取り囲む斜めの歯冠部と、歯冠部と隣接シュートとの間に配置されて軸を取り囲む斜めの摺動案内部と、歯冠部と摺動案内部との間に配置されて軸に平行な停止部と、シュートに平行であって歯冠部に連結できる案内スロットと、を含み、歯冠部及び摺動案内部は、同じ方向に傾き、案内構成要素は、軸に沿って管穴を通って滑動できるとともに、直線管部と、軸を取り囲んで直線管部の上部に配置される複数のドラッグ部と、直線管部に配置されて案内スロットに沿って摺動できる複数の案内ブロックと、を含み、ドラッグ部は、Ｖ形状であり、ドラッグ部の各々は、一対のＶ形状のドラッグ面を含み、ロック構成要素は、中空の管壁と、軸を取り囲んで管壁に配置される複数のロッククリップと、を含み、管壁は、結合ロープが通り抜けるために配置される貫通穴を画定でき、下部におけるロッククリップの各々は、歯冠部及び摺動案内部に対応する斜面を含み、外管継手が第１の折り畳みロッドに対して反対方向に外方に引かれると、結合ロープは、案内構成要素を駆動して軸に沿って動かし、案内構成要素は、次いでロック構成要素を押圧して、位置決め構成要素に対してそれを上方に移動させ、ロッククリップの下部における斜面は、歯冠部から離れ、ロッククリップの下部における斜面は、ドラッグ面の案内の下で軸まわりに回転し、結合ロープの張力が動作中に解放されると、ロッククリップは、案内部の案内の下でシュートの中に円滑に入り、案内構成要素は、下方に移動し、また、弾性構成要素によって解放される弾性力を用いることによって、ロック構成要素から分離され、第１及び第２の折り畳みロッドは、折り畳まれた状態で、外管継手に対して平行になるように、折り畳むことが可能とされる。
【００２９】
位置決めユニットの位置決め歯の各々はまた、歯冠部とは反対に配置されてＶ形状である案内部を含むことができ、ロッククリップは、案内部の影響下でシュートの下部から上部に円滑に入ることができる。
【００３０】
結合ロープはまた、第１の端部と第２の端部との間に配置され、離されている上側ノット及び下側ノットと、上側ノットをロックして位置決めできる上側位置決めブロックと、下側ノットをロックして位置決めできる下側位置決めブロックと、を含むことができ、上側位置決めブロックは、管壁に配置され、下側位置決めブロックは、直線管部の下部に配置される。
【００３１】
好適な実施形態によれば、上で与えられた調整可能な引込み式ロッド装置は、以下を特徴とする。外管継手及び第１の折り畳みロッドが連結されるところに配置されるクイックリリース機構を更に含み、クイックリリース機構は、第１の折り畳みロッドが格納した後に、第１の折り畳みロッドが外管継手をロックして位置決めするように動作可能とされている。
【００３２】
本発明の更なる実施形態は、従属請求項に置かれる。
【００３３】
本発明の特徴及び効果は、図面の実施形態で明瞭に提示されるであろう。
【図面の簡単な説明】
【００３４】
【図１】引込み式ロッド装置の複合プロファイル図である。
【図２】図１の局所的拡大概略図である。
【図３】本発明の実施形態に係る調整可能な引込み式ロッド装置の立体的複合チャート図である。
【図４】本実施形態の立体的分解図である。
【図５】本実施形態の部分的な立体的分解図である。
【図６】本実施形態の部分的な平面分解図である。
【図７】本実施形態の切り取り図である。
【図８】図７の局所的拡大概略図である。
【図９】位置決め構成要素に対してロック構成要素によって引き起こされるロック及び位置決め状態を説明する本実施形態の平面的拡大概略図である。
【図１０】位置決め構成要素に対して案内構成要素によって引き起こされるジャッキングを説明する本実施形態の別の平面的拡大概略図である。
【図１１】位置決め構成要素に対してロック構成要素によって引き起こされる摺動状態を説明する本実施形態の別の平面的拡大概略図である。
【図１２】本実施形態の折り畳み概略図である。
【発明を実施するための形態】
【００３５】
本発明の好適な実施形態は、次において図面を参照して説明されるところ、その目的は、本発明の現在の好適な実施形態を例証することであり、それらを限定することを目的としていない。
【００３６】
図３、図４、及び、図７を参照すると、本発明の実施形態に係る調整可能な引込み式ロッド装置は、外管継手１０、分割ロッドユニット２０、外管継手１０の外側に配置されたハンドル３０、位置決めユニット４０、及び、クイックリリース機構５０を含む。
【００３７】
外管継手１０は、中空であり、軸Ｌに沿って延びる。それは、軸Ｌに沿って配置された内穴１１を含む。
【００３８】
分割ロッドユニット２０は、外管継手１０に対して引込む又は延びる第１の折り畳みロッド２１と、第１の折り畳みロッド２１に取り付け又は取り外し可能な複数の第２の折り畳みロッド２２と、を含む。第１の折り畳みロッド２１及び第２の折り畳みロッド２２は、同じ外径を有する。第１の折り畳みロッド２１は、両端が中空であり、第２の折り畳みロッド２２は、軸Ｌに沿って互いに連結するか又は互いに平行になるように分離することができる。第１の折り畳みロッド２１に隣接する第２の折り畳みロッド２２は、（図７に示されるように）軸Ｌに沿って第１の折り畳みロッド２１に連結することができ、又は、（図１２に示されるように）第１の折り畳みロッド２１に対して互いに平行になるように分離することができる。第２の折り畳みロッド２２は、両端が中空で真っ直ぐな主ロッドボディ２２１と、主ロッドボディ２２１の上部に配置されるスリーブ２２２と、を含む。スリーブ２２２は、主ロッドボディ２２１のそれよりも小さい外径を有し、第１の折り畳みロッド２１又は第２の折り畳みロッド２２の内側に内挿することができ、円錐端部２２３を含み、当該円錐端部２２３を用いて、２つの隣接する第２の折り畳みロッド２２のためのスリーブ２２２は、主ロッドボディ２２１に容易に連結できる。
【００３９】
図５、図６及び図８を参照すると、位置決めユニット４０は、外管継手１０及び分割ロッドユニット２０を通り抜ける結合ロープ４１と、位置決め構成要素４２と、第１の折り畳みロッド２１に移動可能な様式で配置できる案内構成要素４３と、案内構成要素４３によって引っ張ることができるとともに軸Ｌまわりを回転するロック構成要素４４と、位置決め構成要素４２の上部に配置される管ストッパ４５と、管ストッパ４５とロック構成要素４４との間に配置されてロック構成要素４４に弾性力を提供する弾性構成要素４６と、を含む。
【００４０】
結合ロープ４１は、連続的に延びるナイロンロープを採用しており、また、外管継手１０の上部に固定される第１の端部４１１と、第１の端部４１１とは反対側にある第２の端部４１２と、第１の端部４１１と第２の端部４１２との間に配置され（図４参照）、離されている上側ノット４１３及び下側ノット４１３’と、上側ノット４１３をロックして位置決めできる上側位置決めブロック４１４と、下側ノット４１３’をロックして位置決めできる下側位置決めブロック４１５と、を含む。第２の端部４１２は、第１の折り畳みロッド２１から最も遠くにある第２の折り畳みロッド２２の上部に固定される。
【００４１】
図８及び図９を参照すると、位置決め構成要素４２は、外管継手１０に隣接する第１の折り畳みロッド２１の上部に配置され、中空になっており、また、軸Ｌを取り囲むとともに結合ロープ４１が通り抜けるために使用できる管穴４２１と、リング内面４２２と、軸Ｌを取り囲むとともに軸Ｌに向かってリング内面４２２によって配置される複数の位置決め歯４２３と、複数のシュート４２４と、を含む。一つのシュート４２４は、２つの位置決め歯４２３間に配置され、位置決め歯４２３の各々は、軸Ｌを取り囲む斜めの歯冠部４２５と、歯冠部４２５と隣接シュート４２４との間に配置されて軸Ｌを取り囲む斜めの摺動案内部４２６と、歯冠部４２５と摺動案内部４２６との間に配置されて軸Ｌに平行な停止部４２７と、シュート４２４に平行であって歯冠部４２５に連結され得るか又は寧ろ歯冠部に導く案内スロット４２８と、を含む。歯冠部４２５及び摺動案内部４２６は、同じ方向に傾く。加えて、位置決め歯４２３の各々は、歯冠部４２５とは反対側に配置されてＶ形状である案内部４２９を含む。
【００４２】
案内構成要素４３は、軸Ｌに沿って管穴４２１を通って滑動でき、また、直線管部４３１と、軸Ｌを取り囲んで直線管部４３１の上部に配置される複数のドラッグ部４３２と、直線管部４３１に配置されて案内スロット４２８に沿って摺動可能である複数の案内ブロック４３３と、を含む。ドラッグ部４３２は、Ｖ形状であり、ドラッグ部の各々は、一対のＶ形状のドラッグ面４３４を含む。下側位置決めブロック４１５は、直線管部４３１の下部で停止するようにしてもよい。
【００４３】
ロック構成要素４４は、中空の管壁４４１と、軸Ｌを取り囲んで管壁４４１に配置される複数のロッククリップ４４２と、を含む。管壁４４１は、結合ロープ４１が通り抜けるために配置される貫通穴４４３を画定することができる。上側位置決めブロック４１４は、貫通穴４４３の上部に配置されて位置決めできて、管壁４４１に配置される。下部において、ロッククリップ４４２の各々は、歯冠部４２５及び摺動案内部４２６に対応する斜面４４４を含む。
【００４４】
管ストッパ４５は、軸Ｌに沿って延びて結合ロープ４１が通り抜けるために使用される丸穴４５１を含む。
【００４５】
クイックリリース機構５０は、第１の折り畳みロッド２１が引込んだ後に、第１の折り畳みロッド２１が外管継手１０をロックして位置決めするように、外管継手１０が第１の折り畳みロッド２１に連結されるところに配置される。
【００４６】
図７、図８及び図９は、本発明の実施形態に係る組み立てられた調整可能な引込み式ロッド装置を示す。第１の折り畳みロッド２１及び第２の折り畳みロッド２２は、軸Ｌに沿って互いに連結されて展開された状態にある。この場合、ロック構成要素４４のロッククリップ４４２の下部における斜面４４４は、歯冠部４２５に対して寄り掛かり、ロッククリップ４４２の側面は、対応する停止部４２７に対して寄り掛かる。こうして、ロック構成要素４４の確実な係合は、位置決め構成要素４２の中又は位置決め構成要素４２において存在しており、結合ロープ４１が、ロック構成要素４４に、上側ノット４１３及び上側位置決めブロック４１４を介して、取り付けられることに起因して、結合ロープ４１は、分割ロッドユニット２０において高張力下にあり、相対的に軸方向にシフトして分割ロッドユニット２０のロッドを解放してそれらを折り畳むのを防止する。上側ノット４１３と第２の端部４１２との間の結合ロープ４１は、直線の線形状であり、大きい張力を有する。上側ノット４１３と第１の端部４１１との間の結合ロープ４１は、外管継手１０に対する第１の折り畳みロッド２１の引き伸ばし又は引っ込みの程度に応じて、緩み又は張りが生じる。ロック構成要素４４は、ロックすることで位置決め構成要素４２に連結され、ロック構成要素は、分割ロッドユニット２０に位置する。
【００４７】
分割ロッドユニット２０が展開されると、第１の折り畳みロッド２１の引き伸ばし又は引込みは、クイックリリース機構５０を使用することによって、外管継手１０に対して調整することができ、引込み式ロッド装置の長さは、調整することができる。長さが調整された後、クイックリリース機構５０は、ロック及び位置決めのために使用することができる。
【００４８】
使用者が引込み式ロッド装置を折り畳みたいとき、操作者は、先ずクイックリリース機構５０を緩んだ状態にさせ、次いで、ハンドル３０（外管継手１０）及び第１の折り畳みロッド２１を握り、それらを反対方向に引いて、即ち、軸方向に離す。この場合、結合ロープ４１の上側ノット４１３が、ロック構成要素４４を位置決めし、第２の端部４１２は、第１の折り畳みロッド２１から最も離れた第２の折り畳みロッド２２の上部に固定され、下側位置決めブロック４１５は、下側ノット４１３’においてロック及び位置決めし、したがって、ハンドル３０が引かれると、結合ロープ４１、案内構成要素４３、及びロック構成要素４４が引きずられるように下側位置決めブロック４１５はまた、直線管部４３１の下部を押圧する。以下で詳述されるように、これは、ロック構成要素４４と位置決め構成要素４２との間の確実な係合を解放し、したがって、結合ロープの張力を解放し、それによって、分割ロッドユニット２０のロッドを相対的に軸方向にシフト及び係合解除すること、そして、それらを折り畳むこと、を可能にする。
【００４９】
図１０に示されるように、図８を参照すると、案内構成要素４３が結合ロープ４１によって引かれると、ドラッグ部４３２は、ロック構成要素４４を位置決め構成要素４２に対して上向きに押すために利用され、また、ロッククリップ４４２が対応する停止部４２７から離れるように、ロッククリップ４４２の下部の斜面４４４が歯冠部４２５から離れると（この場合、弾性構成要素４６が圧縮状態にあり、解放される弾性力を包含している）、ロッククリップ４４２の斜面４４４は、ドラッグ面４３４によって導かれて、軸Ｌのまわりを回転する。動作中に結合ロープ４１の張力が解放されると、ロッククリップ４４２は、案内部４２６によって導かれて、シュート４２４の中に円滑に入り、案内構成要素４３は、下方に移動し、また、弾性構成要素４６によって解放される弾性力を用いることによって、位置決め構成要素４２から軸方向に離れる（図１１に示される状態）。この場合、結合ロープ４１の張力は消失し、第２の折り畳みロッド２２は、第１の折り畳みロッド２１から分離でき、複数の第２の折り畳みロッド２２は、それら自体も互いに分離でき、第１の折り畳みロッド２１及び第２の折り畳みロッド２２は、外管継手１０に対して互いに平行になるように折り畳むことができる（図１２参照）。
【００５０】
分割ロッドユニット２０が再度折り畳み可能状態から展開された状態に変更する必要があるとき、操作者は、ハンドル３０及び第１の折り畳みロッド２１を反対方向外方に引いて、結合ロープ４１の下側ノット４１３’を使用することによって、案内構成要素４３を下部に押圧する。ロッククリップ４４２は、案内部４２９の影響下でシュート４２４の中に円滑に摺動し、ドラッグ部４３２は、再度ロック構成要素４４を上向きに押圧する。ロッククリップ４４２の下部の斜面４４４は、ドラッグ面４３４の案内の下で軸Ｌのまわりを回転し、ロッククリップ４４２は、結合ロープ４１の張力が解放されると、歯冠部４２５の中に円滑に入る。結合ロープ４１は、張力が大きい状態に回復し、図７、図８及び図９に示される展開された状態に戻る。
【００５１】
したがって、本発明の実施形態に係る調節可能な引込み式ロッド装置は、ハンドル３０及び第１の折り畳みロッド２１を引くことによって、展開された状態と折り畳み可能状態との間の切り替えができる。操作は簡便であり、指の怪我のリスクを回避する。
【００５２】
その上、第１の折り畳みロッド２１及び第２の折り畳みロッド２２が、同じ外径を有し、第１の折り畳みロッド２１が、外管継手１０の内穴１１の中に内挿することができるので、引込み式ロッドの主ロッド構成要素は、２つの外径だけで作製できる。これは、構成要素を単純化し、製造を容易化し、材料管理をより簡便にする。換言すると、本発明の実施形態に係る調節可能な引込み式ロッド装置は、本発明の目的を実際に達成することができる。
【００５３】
上述の説明は、単なる本発明の実施形態であり、本発明の範囲を限定するものではない。本発明の本出願の特許請求の範囲や本明細書の内容に基づいて作出される任意の単純で等価な変更及び修正は、本発明の範囲に包含される。
【符号の説明】
【００５４】
１０  外管継手
１１  内穴
２０  分割ロッドユニット
２１  第１の折り畳みロッド
２２  第２の折り畳みロッド
３０  ハンドル
３１  先端部
４０  位置決めユニット
４１  結合ロープ
４２  位置決め構成要素
４３  案内構成要素
４４  ロック構成要素
４５  管ストッパ
４６  弾性構成要素
５０  クイックリリース機構
２２１  主ロッドボディ
２２２  スリーブ
２２３  ヘッド端部
４１１  第１の端部
４１２  第２の端部
４１３  上側ノット
４１３’  下側ノット
４１４  上側位置決めブロック
４１５  下側位置決めブロック
４２１  管穴
４２２  リング内面
４２３  位置決め歯
４２４  シュート
４２５  歯冠部
４２６  摺動案内部
４２７  停止部
４２８  案内スロット
４２９  案内部
４３１  直線管部
４３２  ドラッグ部
４３３  案内ブロック
４３４  ドラッグ面
４４１  管壁
４４２  ロッククリップ
４４３  貫通穴
４４４  斜面
４５１  丸穴
Ｌ  軸
【図１】
2021507776.tif 000003
【図２】
2021507776.tif 000004
【図３】
2021507776.tif 000005
【図４】
2021507776.tif 000006
【図５】
2021507776.tif 000007
【図６】
2021507776.tif 000008
【図７】
2021507776.tif 000009
【図８】
2021507776.tif 000010
【図９】
2021507776.tif 000011
【図１０】
2021507776.tif 000012
【図１１】
2021507776.tif 000013
【図１２】
2021507776.tif 000014
【国際調査報告】
2021507776.tif 000015
2021507776.tif 000016